(57)【特許請求の範囲】
【請求項１】
被固定部材を筐体に固定する雄ねじと嵌合可能な取付け板金と、
絶縁材料により形成される絶縁部材と、を備え、
前記取付け板金は、前記絶縁部材を介して前記筐体に固定され、
前記絶縁部材は、前記取付け板金の外縁から所定距離離間する位置に外縁が位置するように形成される延出部を有し、
前記被固定部材が前記取付け板金に嵌合する前記雄ねじによって前記筐体に固定される、
ことを特徴とする静電気遮断取付けユニット。
【請求項２】
前記絶縁部材は、前記取付け板金に嵌合された前記雄ねじを収容する収容部を有する、
ことを特徴とする請求項１に記載の静電気遮断取付けユニット。
【請求項３】
被固定部材を筐体に固定する雄ねじと嵌合可能な取付け板金と、
絶縁材料により形成される絶縁部材と、を備え、
前記絶縁部材は、スナップフィットによって係合する係合部を有し、前記筐体に形成された絶縁部材固定部に前記係合部にて取り付けられ、
前記取付け板金は、前記絶縁部材を介して前記筐体に固定され、
前記被固定部材が前記取付け板金に嵌合する前記雄ねじによって前記筐体に固定される、
ことを特徴とする静電気遮断取付けユニット。
【請求項４】
被固定部材を筐体に固定する雄ねじと嵌合可能な取付け板金と、
絶縁材料により形成される絶縁部材と、を備え、
前記取付け板金は、前記絶縁部材を介して前記筐体に固定され、
前記被固定部材が前記取付け板金に嵌合する前記雄ねじによって前記筐体に固定され、
前記絶縁部材は、表裏反転した前記取付け板金と干渉する干渉部を有する、
ことを特徴とする静電気遮断取付けユニット。
【請求項５】
電子部品が実装された回路基板を内部に配設された筐体と、
前記筐体に前記雄ねじで取り付けられる前記被固定部材と、
請求項１から４のいずれか１項に記載の静電気遮断取付けユニットと、を備えた、
ことを特徴とする電子機器。
【発明の詳細な説明】
【技術分野】
【０００１】
本発明は、電子機器の筐体にカバー部材を取り付ける際に用いられる取付けユニットに関し、特に、カバー部材を筐体に取り付ける金属製ねじを介して電子機器の回路基板等に静電気が流れることを防止可能な静電気遮断取付けユニットに関する。
【背景技術】
【０００２】
電子部品が実装された回路基板を備えた電子機器においては、回路基板に静電気が流れると回路基板が誤作動したり、壊れてしまうおそれがある。そのため、回路基板に静電気が流れることを防止することは、重要な課題の一つとなっており、従来より、様々な静電気対策が提案されている。
【０００３】
例えば、電子機器の背面にカバー部材等の外装部品を固定する際に用いられる金属製ねじに対する静電気対策も、電子機器における重要な課題の一つである。特に、電子機器の背面には、製品レイアウト上、多くの電装部品が配置される場合があり、多くの電装部品が配置された背面をカバーするカバー部材を電子機器の筐体に固定する場合には、金属製ねじの固定位置が問題となる。回路基板の近傍で金属製ねじを用いてカバー部材を固定すると、金属製ねじを介して静電気が回路基板に流れるおそれがあるためである。
【０００４】
これに対しては、例えば、金属製ねじを硬度の高い絶縁材料で被覆して形成することによりねじを介して静電気が回路基板に流れることを回避することができる。しかしながら、このような材料でねじを形成するとねじの製造コストが高くなるため妥当ではない。
【０００５】
また、例えば、静電気が回路基板に流れないでグランドに落ちるように回路基板から離れた位置に金属製ねじの固定位置を設けることにより、静電気による回路基板の誤作動等を回避することができる。しかしながら、上述したように製品レイアウト上、多くの電装部品が筐体の背面に配置されている場合等、回路基板等の近傍においても金属製ねじでカバー部材を固定しなければならない場合がある。これに対しては、金属製ねじを取り囲むねじ止め用の座を筐体に形成して金属製ねじを絶縁するカバー部材の取付け構造が開示されている（特許文献１参照）。
【先行技術文献】
【特許文献】
【０００６】
【特許文献１】特開平０７−４３８０９号公報
【発明の概要】
【発明が解決しようとする課題】
【０００７】
しかしながら、特許文献１に記載のカバー部材の取付け構造は、樹脂材料によりねじ止め用の座が形成されているため、金属製ねじの取付け及び取り外しを繰り返し行うと、取付け強さが弱くなるおそれがある。これに対しては、例えば、硬度の高い絶縁材料により座を形成することも考えられるが、上述したように製造コストが高くなるため妥当ではない。また、ねじ止め用の座を形成すると、例えば、電装部品をレイアウト変更した場合にねじ止め位置を変更する等の柔軟な対応ができないという問題もある。
【０００８】
また、例えば、静電気が流れても回路基板が誤作動等を起こさないように回路基板に静電対策用の素子を追加することで回路基板の誤作動等を回避することができる。しかし、この場合、回路の修正の度に静電対策試験を繰り返し行わなければならなくなるため、効率が低下すると共にコストが高くなってしまう。
【０００９】
そこで、本発明は、安価で、かつ、金属製ねじの繰り返しの取り外しにも耐久し得ると共に、金属製ねじを絶縁可能な静電気遮断取付けユニット及び静電気遮断取付けユニットを備えた電子機器を提供することを目的とする。
【課題を解決するための手段】
【００１０】
本発明は、被固定部材を筐体に固定する雄ねじと嵌合可能な取付け板金と、絶縁材料により形成される絶縁部材と、を備え、前記取付け板金は、前記絶縁部材を介して前記筐体に固定され、前記絶縁部材は、前記取付け板金の外縁から所定距離離間する位置に外縁が位置するように形成される延出部を有し、前記被固定部材が前記取付け板金に嵌合する前記雄ねじによって前記筐体に固定されるものである。
別の本発明は、被固定部材を筐体に固定する雄ねじと嵌合可能な取付け板金と、絶縁材料により形成される絶縁部材と、を備え、前記絶縁部材は、スナップフィットによって係合する係合部を有し、前記筐体に形成された絶縁部材固定部に前記係合部にて取り付けられ、前記取付け板金は、前記絶縁部材を介して前記筐体に固定され、前記被固定部材が前記取付け板金に嵌合する前記雄ねじによって前記筐体に固定されるものである。
さらに別の本発明は、被固定部材を筐体に固定する雄ねじと嵌合可能な取付け板金と、絶縁材料により形成される絶縁部材と、を備え、前記取付け板金は、前記絶縁部材を介して前記筐体に固定され、前記被固定部材が前記取付け板金に嵌合する前記雄ねじによって前記筐体に固定され、前記絶縁部材は、表裏反転した前記取付け板金と干渉する干渉部を有するものである。
【発明の効果】
【００１１】
本発明によれば、安価で金属製ねじの繰り返しの取り外しにも耐久し得ると共に、金属製ねじを絶縁可能な静電気遮断取付けユニット及び静電気遮断取付けユニットを備えた電子機器を提供することができる。
【図面の簡単な説明】
【００１２】
【図１】本発明の実施形態に係る画像形成装置を背面側から見た斜視図である。
【図２】本実施形態に係る画像形成装置の第１背面カバーを取り外した状態を示す斜視図である。
【図３】本実施形態に係る画像形成装置の背面に取り付けられた電子回路ユニットを示す図である。
【図４】図３に示す画像形成装置の背面に配設された電子回路ユニットに取り付けられた静電気遮断取付けユニットを示す斜視図である。
【図５】静電気遮断部材に外装固定板金を装着する状態を示す図である。
【図６】静電気遮断取付けユニットを回路カバーに形成された取付け孔に取り付けた状態の静電気遮断取付けユニットの断面図である。
【図７】（ａ）は、外装固定板金の正面図であり、（ｂ）は、外装固定板金の側面図である。
【図８】（ａ）は、静電気遮断部材の正面図であり、（ｂ）は、静電気遮断部材の側面図であり、（ｃ）は、静電気遮断部材の背面図であり、（ｄ）は、静電気遮断部材の底面図である。
【図９】本発明の第２実施形態に係る電子回路ユニットの回路カバーに取り付けられた静電気遮断取付けユニットを示す斜視図である。
【図１０】（ａ）は、静電気遮断取付けユニットの正面図であり、（ｂ）は、静電気遮断取付けユニットの側面図であり、（ｃ）は、静電気遮断取付けユニットの背面図であり、（ｄ）は、静電気遮断取付けユニットの底面図である。
【図１１】（ａ）は、静電気遮断取付けユニットを回路カバーに取り付ける状態を示す斜視図であり、（ｂ）は、静電気遮断取付けユニットを回路カバーに取り付けた状態を示す斜視図である。
【図１２】本発明の第３実施形態に係る電子回路ユニットの回路カバーに取り付けられた静電気遮断取付けユニットを示す斜視図である。
【図１３】（ａ）は、静電気遮断取付けユニットの正面図であり、（ｂ）は、静電気遮断取付けユニットの側面図であり、（ｃ）は、静電気遮断取付けユニットの背面図であり、（ｄ）は、静電気遮断取付けユニットの底面図である。
【図１４】（ａ）は、静電気遮断取付けユニットを回路カバーに取り付ける状態を示す斜視図であり、（ｂ）は、静電気遮断取付けユニットを回路カバーに取り付けた状態を示す斜視図である。
【発明を実施するための形態】
【００１３】
以下、本発明の実施形態に係る静電気遮断取付けユニットを備えた電子機器について、図面を参照しながら説明する。なお、以下の実施形態においては、複写機、プリンタ、ファクシミリ及びこれら複合機器等、電子部品が実装された回路基板４０が内部に配設された電子機器としての画像形成装置１，１Ａ，１Ｂを用いて説明する。
【００１４】
＜第１実施形態＞
本発明の第１実施形態に係る画像形成装置１について、図１から図８を参照しながら説明する。まず、第１実施形態に係る画像形成装置１の概略構成について、図１から図３を参照しながら説明する。図１は、本発明の実施形態に係る画像形成装置１を背面側から見た斜視図である。図２は、本実施形態に係る画像形成装置１の第１背面カバー３０を取り外した状態を示す斜視図である。図３は、本実施形態に係る画像形成装置１の背面に取り付けられた電子回路ユニット４を示す図である。
【００１５】
図１及び図２に示すように、第１実施形態に係る画像形成装置１は、画像形成装置本体２と、画像形成装置本体２の背面を覆う被固定部材としての背面カバー３と、画像形成装置本体２の背面に配設される電子回路ユニット４と、を備えている。
【００１６】
画像形成装置本体２は、筐体２０と、シートを収納するシート収納部２１と、シート収納部２１に収納されたシートを給送する不図示のシート給送部と、シート給送部により給送されるシートに画像を形成する不図示の画像形成部と、画像形成部で形成された画像をシートに転写する不図示の転写部と、転写部で転写された画像を定着させる不図示の定着部と、シートが排出されるシート排出部２２と、を備えている。
【００１７】
筐体２０は、シート収納部２１、シート給送部、画像形成部、転写部及び定着部を収容する。シート収納部２１は、シートＳを収納する不図示のカセットを備え、カセットに収納されたシートＳは、シート給送部により所定のタイミングで画像形成部に給送される。画像形成部は、イエロー、マゼンタ、シアン、ブラックの各色のトナー像が形成される不図示の感光ドラムを備え、転写部は、感光ドラムに形成された各色のトナー像をシートＳに転写する。これにより、未定着トナー像がシートＳに形成される。その後、未定着トナー像は、定着部でシートに定着され、画像が定着されたシートがシート排出部２２から排出されることで画像形成処理が終了する。
【００１８】
図１に示すように、背面カバー３は、画像形成装置本体２の一方側（図１に示す右側）をカバーする第１背面カバー３０と、他方側（図１に示す左側）をカバーする第２背面カバー３１と、を備えている。なお、本実施形態においては、第１背面カバー３０と第２背面カバー３１とに分割された背面カバー３を用いて説明したが、背面カバー３は、第１背面カバー３０と第２背面カバー３１とが一体となっていてもよい。
【００１９】
第１背面カバー３０及び第２背面カバー３１は、画像形成装置本体２に取り付け可能に形成されており、雄ねじとしての外装固定ビス３２により画像形成装置本体２の筐体２０に固定される。第１背面カバー３０及び第２背面カバー３１は、外装固定ビス３２により画像形成装置本体２の筐体２０に固定されることにより、ユーザの手等が背面に配設された電子回路ユニット４等に不用意に触れてしまうことを防止する。そのため、第１背面カバー３０及び第２背面カバー３１は、第１背面カバー３０及び第２背面カバー３１の浮き等も考慮して、画像形成装置本体２の筐体２０に数か所（本実施形態においては合計５か所）で固定される。
【００２０】
図３に示すように、電子回路ユニット４は、回路基板４０と、シールド部材４１と、回路カバー４２と、を備えている。回路基板４０には、ＣＰＵ等の電子回路や電装部品等が実装されている。また、回路基板４０は、回路基板４０が発生するノイズの周辺部品への影響を抑制するためにシールド部材４１に囲まれており、シールド部材４１には、回路基板４０を保護する回路カバー４２が取り付けられている。回路カバー４２は、回路基板４０と対向するように配置されており、シールド部材４１にねじ等により取り付けられている。
【００２１】
また、回路カバー４２には、後述の静電気遮断取付けユニット５を取り付けるための所定の絶縁部材固定部としての取付け孔４３（後述の図５参照）が形成されている。取付け孔４３は、第１背面カバー３０を筐体２０に固定する際に外装固定ビス３２を差し込むための、第１背面カバー３０に形成されたねじ孔と対向する位置に形成される。
【００２２】
ここで、電子回路ユニット４は、回路基板４０のメンテナンスや交換等の必要があるため、メンテナンス性を向上等させるために、画像形成装置本体２の背面側に配設される場合が多い。本実施形態においては、第１背面カバー３０を外すことによりすぐにメンテナンス等を開始することができるように、第１背面カバー３０の裏に配設されている。この場合、上述したように第１背面カバー３０は、画像形成装置本体２の筐体２０に複数個所で固定しなければならないため、電子回路ユニット４の近傍、若しくはシールド部材４１や回路カバー４２等に直接固定しなければならない場合がある。そのため、外装固定ビス３２に対する静電気対策を施す必要が生じる。
【００２３】
本実施形態においては、図２及び図３に示すように、回路カバー４２に第１背面カバー３０を固定するための静電気遮断取付けユニット５が取り付けられている。静電気遮断取付けユニット５は、回路カバー４２に形成された取付け孔４３に取り付けられており、第１背面カバー３０を筐体２０に取り付ける外装固定ビス３２を絶縁した状態で第１背面カバー３０を筐体２０に固定させる。以下、静電気遮断取付けユニット５について、図４から図８を参照しながら具体的に説明する。
【００２４】
図４は、図３に示す画像形成装置１の背面に配設された電子回路ユニット４に取り付けられた静電気遮断取付けユニット５を示す斜視図である。図５は、静電気遮断部材７に外装固定板金６を装着する状態を示す図である。図６は、静電気遮断取付けユニット５を回路カバー４２に形成された取付け孔４３に取り付けた状態の静電気遮断取付けユニット５の断面図である。図７（ａ）は、外装固定板金６の正面図である。図７（ｂ）は、外装固定板金６の側面図である。図８（ａ）は、静電気遮断部材７の正面図である。図８（ｂ）は、静電気遮断部材７の側面図である。図８（ｃ）は、静電気遮断部材７の背面図である。図８（ｄ）は、静電気遮断部材７の底面図である。
【００２５】
図４から図６に示すように、静電気遮断取付けユニット５は、回路カバー４２に形成された取付け孔４３にスナップフィットを使用して着脱自在に取り付けられており、取付け板金としての外装固定板金６と、絶縁材料により形成された絶縁部材としての静電気遮断部材７と、を備えている。
【００２６】
図７（ａ）及び図７（ｂ）に示すように、外装固定板金６は、正方形状に形成された金属板であり、中央部に外装固定ビス３２を螺合（嵌合）可能な雌ねじ部６０が形成されている。雌ねじ部６０は、外装固定ビス３２が外装固定板金６の第１面（表面）６１側から第２面（裏面）６２側に向かって螺合（嵌合）するように形成されている。また、外装固定板金６の四方の外縁それぞれには、静電気遮断部材７に形成された後述の係合凸部７３と係合可能な係合凹部６３が形成されている。係合凹部６３は、外縁の中央から若干ずれた位置に形成されている。つまり、係合凹部６３は、中央を中心にその両側で非対称になるように形成されており、後述するように外装固定板金６を表裏反転して誤装着できないようになっている。
【００２７】
図８（ａ）から図８（ｄ）に示すように、静電気遮断部材７は、外装固定板金６の外縁を支持する本体部７０と、本体部７０から延出する延出部７１と、回路カバー４２に形成された取付け孔４３と係止する係止部７５と、を備えている。
【００２８】
本体部７０は、矩形箱状に形成されており、外装固定板金６の第１面６１側（第１背面カバー３０側）から螺合された外装固定ビス３２の雄ねじ３２ａを収容可能な収容部７２を備えている。収容部７２は、外装固定ビス３２の雄ねじ３２ａの先端が露出しないように封止されている。つまり、静電気遮断部材７を取付け孔４３に取り付けた際に、雄ねじ３２ａの先端側が回路基板４０側（筐体２０側）で露出しないように封止されている。これにより、静電気試験基本規格やイミュニティ規格等に準じて行なわれた試験おいても、静電気が第１背面カバー３０を固定する外装固定ビス３２の先端から外装固定板金６又は回路基板４０に直接に飛ぶことはなくなる。
【００２９】
また、本体部７０には、外装固定板金６を支持する際に、第１面６１を露出した状態でのみ装着可能となるように、外装固定板金６の係合凹部６３と係合する干渉部としての係合凸部７３が形成されている。係合凸部７３は、第１面６１を露出した状態で装着された場合のみ係合凹部６３と係合するように形成されており、第２面６２を露出した状態で装着しようとすると、外装固定板金６の外縁とぶつかって干渉することで外装固定板金６を支持できないようになっている。つまり、本体部７０は、係合凸部７３を設けることで外装固定板金６の装着方向を規制して、表裏反転して誤装着されないようにしている。
【００３０】
また、本体部７０には、外装固定板金６の外縁を支持する支持部７４が形成されており、支持部７４は、係合凸部７３が係合凹部６３と係合した場合のみ外装固定板金６の外縁を係止して外装固定板金６を支持するように形成されている。
【００３１】
延出部７１は、本体部７０の支持部７４に装着された場合の外装固定板金６と略平行に形成されており、外装固定板金６の外縁から所定距離離間した位置（図８（ａ）に示すＷ，Ｘ，Ｙ，Ｚ）に外縁が位置するように形成されている。
【００３２】
ここで、上述したように、静電気遮断取付けユニット５は、第１背面カバー３０を筐体２０に取り付ける外装固定ビス３２を絶縁する必要がある。そのため、静電気試験基本規格（ＩＥＣ６１０００−４−２）やイミュニティ規格（ＣＩＳＰＲ２４／ＥＮ５５０２４）などの外部からの静電気に対する規格をクリアする必要がある。これにより、本実施形態においては、延出部７１の所定距離Ｗ，Ｘ，Ｙ，Ｚとして、静電気試験基本規格やイミュニティ規格に準じた試験おいて静電気が外装固定板金６から回路カバー４２に飛ばない距離とされている約１０ｍｍを確保している。つまり、所定距離Ｗ，Ｘ，Ｙ，Ｚとは、静電気が外装固定板金６から回路カバー４２に飛ばない距離をいい、延出部７１は、外装固定板金６の外縁からの距離が所定距離Ｗ，Ｘ，Ｙ，Ｚになるように形成されている。なお、外装固定板金６の外形を小型化あるいは本体部７０の外形を大型化することで外装固定板金６の外縁からの距離が所定距離Ｗ，Ｘ，Ｙ，Ｚを満足できれば延出部７１を不要とすることも可能である。
【００３３】
係止部７５は、回路カバー４２に形成された取付け孔４３の外縁部と係合する係合部７５ａと、係合部７５ａが係合する外縁部と反対側の外縁部とスナップフィットにより係合する係合爪７５ｂと、を備えている。静電気遮断部材７は、係合部７５ａを取付け孔４３の外縁部と係合させた状態で係合爪７５ｂを取付け孔４３に係合させる（スナップフィットさせる）ことにより、回路カバー４２の取付け孔４３に着脱自在な状態で取付け可能となる。
【００３４】
なお、静電気遮断部材７を構成する絶縁材料（樹脂）としては、熱可塑性樹脂を使用することができ、熱可塑性樹脂としては、例えば、ポリカーボネート（ＰＣ）、ＡＢＳ樹脂等を使用することができる。
【００３５】
以上のような構成を有する第１実施形態に係る画像形成装置１によれば、以下のような効果を奏する。第１実施形態に係る画像形成装置１は、外装固定ビス３２を絶縁させた状態で第１背面カバー３０を筐体２０に取り付け可能な静電気遮断取付けユニット５を備えている。そのため、例えば、静電気が外装固定ビス３２に流れた場合においても、静電気遮断取付けユニット５で静電気を遮断する為、回路基板４０に静電気が流れることを防止することができる。これにより、回路基板が誤作動したり、故障したりすることを防止することができる。
【００３６】
また、背面カバー３を固定する従来の金属製の外装固定ビス３２を用いることができるため、製造コストが高くなることを防止することができる。更に、専用ビスを必要としないので取付け時における専用ビスと通常の金属ビスの取り違い誤組み等が生じることを防止することができる。
【００３７】
また、金属製の外装固定ビス３２を螺合する雌ねじ部６０を金属製の外装固定板金６に形成するため、外装固定ビス３２の繰り返しの取付け及び取り外しにも耐久させることができると共に、安価に製造することができる。
【００３８】
また、静電気遮断取付けユニット５は、静電気遮断部材７を取付け可能な取付け孔４３を回路カバー等に形成するスペースを確保できれば、金属製の外装固定ビス３２を使用することにより静電気対策が必要となるあらゆる箇所で使用することができる。
【００３９】
また、別途、静電気対策用の素子を追加する必要がなくなるため、回路修正等の対策が必要なくなり、効率の低下やコストが高くなることを抑制することができる。
【００４０】
＜第２実施形態＞
次に、本発明の第２実施形態に係る画像形成装置１Ａについて、図１及び図２を援用すると共に、図９から図１１を参照しながら説明する。第２実施形態に係る画像形成装置１Ａは、静電気遮断取付けユニットの静電気遮断部材の形状が第１実施形態と相違する。そのため、第２実施形態においては、第１実施形態と相違する点、即ち、静電気遮断取付けユニット５Ａを中心に説明する。なお、第２実施形態において、第１実施形態に係る画像形成装置１と同様の構成のものについては、同じ符号を付してその説明を省略する。また、第２実施形態において、第１実施形態と同様の構成のものについては、第１実施形態と同様の効果を奏する。図９は、本発明の第２実施形態に係る電子回路ユニット４Ａの回路カバー４２Ａに取り付けられた静電気遮断取付けユニット５Ａを示す斜視図である。
【００４１】
図１及び図２に示すように、第２実施形態に係る画像形成装置１Ａは、画像形成装置本体２と、画像形成装置本体２の背面を覆う背面カバー３と、画像形成装置本体２の背面に配設される電子回路ユニット４Ａと、を備えている。電子回路ユニット４Ａは、回路基板４０と、シールド部材４１と、回路カバー４２Ａと、を備えている。図９に示すように、回路カバー４２Ａは、矩形板状に形成されており、回路基板４０と対向配置した状態でシールド部材４１に固定される。また、回路カバー４２Ａには、外縁から切り欠いて形成された取付け部４３Ａ（後述の図１１（ａ）参照）が設けられており、取付け部４３Ａには、静電気遮断取付けユニット５Ａが取り付けられる。
【００４２】
次に、第２実施形態に係る静電気遮断取付けユニット５Ａについて、図１０（ａ）から図１１（ｂ）を参照しながら説明する。図１０（ａ）は、静電気遮断取付けユニット５Ａの正面図である。図１０（ｂ）は、静電気遮断取付けユニット５Ａの側面図である。図１０（ｃ）は、静電気遮断取付けユニット５Ａの背面図である。図１０（ｄ）は、静電気遮断取付けユニット５Ａの底面図である。図１１（ａ）は、静電気遮断取付けユニット５Ａを回路カバー４２Ａに取り付ける状態を示す斜視図である。図１１（ｂ）は、静電気遮断取付けユニット５Ａを回路カバー４２Ａに取り付けた状態を示す斜視図である。
【００４３】
図１０（ａ）から図１０（ｄ）に示すように、静電気遮断取付けユニット５Ａは、外装固定板金６と、静電気遮断部材７Ａと、を備えている。静電気遮断部材７Ａは、本体部７０と、延出部７１と、回路カバー４２Ａに形成された取付け部４３Ａの外縁部４４Ａ，４４Ａに係合する係合部７５Ａ，７５Ａと、を備えている。係合部７５Ａ，７５Ａは、延出部７１と略平行に本体部７０から延出しており、延出部７１との間に取付け部４３Ａの外縁部４４Ａ，４４Ａが嵌挿可能なスライド溝７６Ａ，７６Ａを形成する。
【００４４】
図１１（ａ）及び図１１（ｂ）に示すように、静電気遮断取付けユニット５Ａは、回路カバー４２Ａの取付け部４３Ａの外縁部４４Ａ，４４Ａに沿って延出部７１と係合部７５Ａ，７５Ａとにより構成されたスライド溝７６Ａ，７６Ａをスライドさせて装着される。回路カバー４２Ａに装着された静電気遮断取付けユニット５Ａは、その後、回路カバー４２Ａがシールド部材４１に固定されることにより固定される。
【００４５】
以上のような構成を有する第２実施形態に係る画像形成装置１Ａの静電気遮断取付けユニット５Ａによれば、第１実施形態に係る効果に加え、以下のような効果を奏する。第２実施形態に係る静電気遮断取付けユニット５Ａは、回路カバー４２Ａにスライドさせて装着される。そのため、例えば、回路カバー４２Ａの外縁近傍に取り付ける場合に、取付け孔４３を形成することなく、切欠き状の取付け部４３Ａを形成することにより静電気遮断取付けユニット５Ａを装着させることができる。また、例えば、係合爪７５ｂ等を設ける必要がなくなるため、簡単な構成で形成することができる。
【００４６】
＜第３実施形態＞
次に、本発明の第３実施形態に係る画像形成装置１Ｂについて、図１及び図２を援用すると共に、図１２から図１４を参照しながら説明する。第３実施形態に係る画像形成装置１Ｂは、静電気遮断取付けユニットの静電気遮断部材の形状が第２実施形態と相違する。そのため、第３実施形態においては、第２実施形態と相違する点、即ち、静電気遮断取付けユニット５Ｂを中心に説明する。なお、第３実施形態において、第１実施形態及び第２実施形態に係る画像形成装置１、１Ａと同様の構成のものについては、同じ符号を付してその説明を省略する。また、第３実施形態において、第１実施形態及び第２実施形態と同様の構成のものについては、第１実施形態及び第２実施形態と同様の効果を奏する。図１２は、本発明の第３実施形態に係る電子回路ユニット４Ｂの回路カバー４２Ｂに取り付けられた静電気遮断取付けユニット５Ｂを示す斜視図である。
【００４７】
図１及び図２に示すように、第３実施形態に係る画像形成装置１Ｂは、画像形成装置本体２と、画像形成装置本体２の背面を覆う背面カバー３と、画像形成装置本体２の背面に配設される電子回路ユニット４Ｂと、を備えている。電子回路ユニット４Ｂは、回路基板４０と、シールド部材４１と、回路カバー４２Ｂと、を備えている。図１２に示すように、回路カバー４２Ｂは、矩形板状に形成されており、回路基板４０と対向配置した状態でシールド部材４１に固定される。回路カバー４２Ｂには、角部を切り欠いて形成された取付け部４３Ｂ（後述の図１４（ａ）参照）が設けられており、取付け部４３Ｂには、静電気遮断取付けユニット５Ｂが取り付けられる（後述の図１４（ｂ）参照）。
【００４８】
次に、第３実施形態に係る静電気遮断取付けユニット５Ｂについて、図１３（ａ）から図１４（ｂ）を参照しながら具体的に説明する。図１３（ａ）は、静電気遮断取付けユニット５Ｂの正面図である。図１３（ｂ）は、静電気遮断取付けユニット５Ｂの側面図である。図１３（ｃ）は、静電気遮断取付けユニット５Ｂの背面図である。図１３（ｄ）は、静電気遮断取付けユニット５Ｂの底面図である。図１４（ａ）は、静電気遮断取付けユニット５Ｂを回路カバー４２Ｂに取り付ける状態を示す斜視図である。図１４（ｂ）は、静電気遮断取付けユニット５Ｂを回路カバー４２Ｂに取り付けた状態を示す斜視図である。
【００４９】
図１３（ａ）から図１３（ｄ）に示すように、静電気遮断取付けユニット５Ｂは、外装固定板金６と、静電気遮断部材７Ｂと、を備えている。静電気遮断部材７Ｂは、本体部７０と、延出部７１と、回路カバー４２Ｂに形成された取付け部４３Ｂの外縁部４４Ｂ，４４Ｂに係合する係合部７５Ｂと、係止部７７と、を備えている。係合部７５Ｂは、延出部７１と略平行に本体部７０から延出しており、延出部７１との間に取付け部４３Ｂの外縁部４４Ｂ，４４Ｂが嵌挿可能なスライド溝７６Ｂを形成する。係止部７７は、回路カバー４２Ｂに形成された係止孔４５に係止可能に形成されており、スライド溝７６Ｂに沿って回路カバー４２Ｂに装着された静電気遮断部材７Ｂを係止させる。
【００５０】
図１４（ａ）及び図１４（ｂ）に示すように、静電気遮断取付けユニット５Ｂは、延出部７１と係合部７５Ｂ，７５Ｂとにより形成されたスライド溝７６Ｂ，７６Ｂに、回路カバー４２Ｂの外縁部４４Ｂ，４４Ｂをスライドさせることにより装着される。そして、係止部７７が係止孔４５に係止されることにより係止される。回路カバー４２Ｂに装着された静電気遮断取付けユニット５Ｂは、その後、回路カバー４２Ｂがシールド部材４１に固定されることにより固定される。
【００５１】
以上のような構成を有する第３実施形態に係る画像形成装置１Ｂの静電気遮断取付けユニット５Ｂによれば、第１実施形態及び第２実施形態に係る画像形成装置１，１Ａと同様な構成により生じる効果に加え、以下のような効果を奏する。第３実施形態に係る静電気遮断取付けユニット５Ｂは、回路カバー４２Ｂにスライドさせて装着される。そのため、例えば、回路カバーの外縁近傍に取り付ける場合に、取付け孔４３を形成することなく、切欠き状の取付け部４３Ｂを形成することにより静電気遮断取付けユニット５Ｂを装着させることができる。
【００５２】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００５３】
例えば、本実施形態においては、矩形状の延出部７１を有する静電気遮断部材７，７Ａ，７Ｂを用いて説明したが、本発明においてはこれに限定されない。静電気遮断部材７，７Ａ，７Ｂの延出部７１は、円形や楕円形等であってもよい。延出部７１は、静電気が外装固定板金６から回路カバー４２に飛ばないように形成されていればよい。
【符号の説明】
【００５４】
１    画像形成装置（電子機器）
２    画像形成装置本体
３    背面カバー（被固定部材）
４    電子回路ユニット
５    静電気遮断取付けユニット
６    外装固定板金（取付け板金）
７    静電気遮断部材（絶縁部材）
２０    筐体
３０    第１背面カバー
３１    第２背面カバー
３２    外装固定ビス（雄ねじ）
４０    回路基板
４２    回路カバー
４３    取付け孔（絶縁部材固定部）
６３    係合凹部
７０    本体部
７１    延出部
７２    収容部
７３    係合凸部（干渉部）
Ｗ，Ｘ，Ｙ，Ｚ    所定距離
【図１】
0005495079.tif 000002
【図２】
0005495079.tif 000003
【図３】
0005495079.tif 000004
【図４】
0005495079.tif 000005
【図５】
0005495079.tif 000006
【図６】
0005495079.tif 000007
【図７】
0005495079.tif 000008
【図８】
0005495079.tif 000009
【図９】
0005495079.tif 000010
【図１０】
0005495079.tif 000011
【図１１】
0005495079.tif 000012
【図１２】
0005495079.tif 000013
【図１３】
0005495079.tif 000014
【図１４】
0005495079.tif 000015